【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
(a)基体と、(b)前記基体の表面に塗布された重合性組成物とを含む画像形成性エレメントであって、前記組成物が、(i)重合性化合物と、(ii)ポリエチレンオキシドセグメントを含むポリマーバインダーとを含み、前記ポリマーバインダーが、主鎖ポリマーおよびポリエチレンオキシド側鎖を含んだ少なくとも1つのグラフトコポリマーと、少なくとも1つのポリエチレンオキシドブロックおよび少なくとも1つの非ポリエチレンオキシドブロックを有するブロックコポリマーと、これらの組合せとからなる群から選択されるものである、画像形成性エレメント。
【請求項２】
前記ポリマーバインダーがグラフトコポリマーであり、前記グラフトコポリマーのポリエチレンオキシドセグメントが約0.5〜約60重量%の範囲の量で存在する、請求項1に記載の画像形成性エレメント。
【請求項３】
前記主鎖ポリマーが、付加ポリマーおよび縮合ポリマーからなる群から選択される、請求項1に記載の画像形成性エレメント。
【請求項４】
重合性化合物とポリマーバインダーとの重量比が、約5:95から約95:5の範囲である、請求項1に記載の画像形成性エレメント。
【請求項５】
前記重合性組成物が、赤外吸収顔料または染料をさらに含む、請求項１に記載の画像形成性エレメント。
【請求項６】
前記組成物が、(i)電子受容体と(ii)電子または水素原子を供与しあるいは炭化水素ラジカルを形成することが可能な共開始剤とを含んだフリーラジカル開始剤系をさらに含む、請求項１に記載の画像形成性エレメント。
【請求項７】
前記重合性組成物が、グラフトまたはブロックコポリマーの離散した粒子を含む、請求項1に記載の画像形成性エレメント。
【請求項８】
前記ポリマーバインダーが、重合性組成物中に懸濁される離散粒子を含む、請求項1に記載の画像形成性エレメント。
【請求項９】
ネガ型の印刷版を製造するための方法において、(a)基体を準備する工程と、(b)前記基体の表面に組成物を含んだネガ型の層を塗布する工程と、(c)紫外線、可視光線、および赤外線の1つで画像形成する工程とを含み、前記組成物が、重合性化合物とポリエチレンオキシドセグメントを含んだポリマーバインダーとを含み、前記ポリマーバインダーが、ポリエチレンオキシド側鎖を含んだ少なくとも1つのグラフトコポリマーと、少なくとも1つのポリエチレンオキシドブロックを有するブロックコポリマーと、これらの組合せとからなる群から選択されるものである、方法。
【請求項１０】
前記印刷版がオン・プレス現像可能である、請求項９に記載の方法。
【請求項１１】
(d)印刷機で現像する工程をさらに含み、別の現像工程を含まない、請求項９に記載の方法。
【請求項１２】
前記現像工程後に前記印刷版をポストベークすることをさらに含む、請求項９に記載の方法。
【請求項１３】
前記重合性組成物が、離散した粒子を含む、請求項９に記載の方法。
【手続補正２】
【補正対象書類名】明細書
【補正対象項目名】０１５１
【補正方法】変更
【補正の内容】
【０１５１】
本発明について、特定の例示的な実施形態に関連して述べてきたが、付随する特許請求の範囲で述べる精神および範囲から逸脱することなく、開示された実施形態に様々な変化、置換、および変更を加えることができることを理解されたい。本発明のさらなる態様を、特許請求の範囲に記載の態様とともに以下に示す。
〔態様１〕(a)基体と、(b)前記基体の表面に塗布された重合性組成物とを含む画像形成性エレメントであって、前記組成物が、(i)重合性化合物と、(ii)ポリエチレンオキシドセグメントを含むポリマーバインダーとを含み、前記ポリマーバインダーが、主鎖ポリマーおよびポリエチレンオキシド側鎖を含んだ少なくとも1つのグラフトコポリマーと、少なくとも1つのポリエチレンオキシドブロックおよび少なくとも1つの非ポリエチレンオキシドブロックを有するブロックコポリマーと、これらの組合せとからなる群から選択されるものである、画像形成性エレメント。
〔態様２〕前記ポリマーバインダーが、約35〜約220℃の範囲のガラス転移温度Tgを有する、上記態様1に記載の画像形成性エレメント。
〔態様３〕前記ポリマーバインダーが両親媒性である、上記態様2に記載の画像形成性エレメント。
〔態様４〕前記ポリマーバインダーが、疎水性ポリマーバックボーンと、下記の式：
-Q-W-Y
で表される複数のペンダント基とを含むグラフトコポリマーであり、
上記式中、Qは2官能性接続基であり、Wは親水性セグメントおよび疎水性セグメントからなる群から選択され、Yは親水性セグメントおよび疎水性セグメントからなる群から選択され、ただしWが親水性セグメントである場合にはYが親水性セグメントおよび疎水性セグメントからなる群から選択されることを条件とし、さらにWが疎水性である場合にはYが親水性セグメントであることを条件とする、上記態様1に記載の画像形成性エレメント。
〔態様５〕前記ポリマーバインダーが、下記の式で表される反復単位を含むグラフトコポリマーであり、
【化１】
2005522362.tif 000001
上記式中R1およびR2のそれぞれは独立に、H、アルキル、アリール、アラルキル、アルカリール、COOR5、R6CO、ハロゲン、およびシアノからなる群から選択され、
Qは下記の式からなる群から選択されるものであり、
【化２】
2005522362.tif 000002
上記式中R3がHおよびアルキルからなる群から選択され、R4が、H、アルキル、ハロゲン、シアノ、ニトロ、アルコキシ、アルコキシカルボニル、アシル、およびこれらの組合せからなる群から選択され、
Wは親水性セグメントおよび疎水性セグメントからなる群から選択され、
Yは親水性セグメントおよび疎水性セグメントからなる群から選択され、
Zは、H、アルキル、ハロゲン、シアノ、アシルオキシ、アルコキシ、アルコキシカルボニル、ヒドロキシアルキルオキシカルボニル、アシル、アミノカルボニル、アリール、および置換アリールからなる群から選択され、ただしWが親水性セグメントである場合には、Yが親水性セグメントおよび疎水性セグメントからなる群から選択されることを条件とし、さらにWが疎水性である場合にはYが親水性セグメントであることを条件とするものである、上記態様1に記載の画像形成性エレメント。
〔態様６〕前記親水性セグメントWが、下記の式で表されるセグメントからなる群から選択され、
【化３】
2005522362.tif 000003
上記式中R7、R8、R9、およびR10のそれぞれは水素原子であり、R3はHおよびアルキルからなる群から選択されるものであり、W中の前記疎水性セグメントは、-R12-、-O-R12-O-、-R3N-R12-NR3-、-OOC-R12-O-、および-OOC-R12-O-からなる群から選択され、ただし各R12は独立に、炭素原子が6〜120個の線状、分枝状、または環状アルキレン、炭素原子が6〜120個のハロアルキレン、炭素原子が6〜120個のアリーレン、炭素原子が6〜120個のアルカリーレン、および炭素原子が6〜120個のアラルキレンからなる群から選択され、R3はHおよびアルキルからなる群から選択されるものであり、Y中の前記親水性セグメントは、H、RC15、OH、OR16、COOH、COOR16、O2CR16、下記の式により表されるセグメントからなる群から選択され、
【化４】
2005522362.tif 000004
上記式中R7、R8、R9、およびR10のそれぞれは水素原子であり、R3はHおよびアルキルからなる群から選択され、R13、R14、R15、およびR16のそれぞれは独立に、Hおよび炭素原子が1〜5個のアルキルからなる群から選択されるものであり、前記疎水性セグメントは、炭素原子が6〜120個の線状、分枝状、または環状アルキル、炭素原子が6〜120個のハロアルキル、炭素原子が6〜120個のアリール、炭素原子が6〜120個のアルカリール、炭素原子が6〜120個のアラルキル、OR17、COOR17、およびO2CR17からなる群から選択され、R17は炭素原子が6〜20個のアルキルであり、nは約12から約250までである、上記態様5に記載の画像形成性エレメント。
〔態様７〕前記ポリエチレンオキシドセグメントが、約500から約10,000の範囲の数平均分子量を有する、上記態様1に記載の画像形成性エレメント。
〔態様８〕前記ポリマーバインダーがグラフトコポリマーであり、前記グラフトコポリマーのポリエチレンオキシドセグメントが約0.5〜約60重量%の範囲の量で存在する、上記態様1に記載の画像形成性エレメント。
〔態様９〕前記主鎖ポリマーが、約40〜約220℃の範囲のガラス転移温度Tgを有する、上記態様1に記載の画像形成性エレメント。
〔態様１０〕前記少なくとも1つの非ポリエチレンオキシドブロックが、約40〜約220℃の範囲のガラス転移温度Tgを有する、上記態様1に記載の画像形成性エレメント。
〔態様１１〕前記少なくとも1つの非ポリエチレンオキシドブロックが、ポリアルキレンオキシドセグメントを含まない、上記態様10に記載の画像形成性エレメント。
〔態様１２〕前記主鎖ポリマーが、付加ポリマーおよび縮合ポリマーからなる群から選択される、上記態様1に記載の画像形成性エレメント。
〔態様１３〕前記少なくとも1つの非ポリエチレンオキシドブロックが、付加ポリマーおよび縮合ポリマーからなる群から選択される、上記態様1に記載の画像形成性エレメント。
〔態様１４〕前記ポリマーバインダーが、それぞれが主鎖ポリマーおよびポリエチレンオキシド側鎖を含んでいるグラフトコポリマーの混合物を含む、上記態様1に記載の画像形成性エレメント。
〔態様１５〕前記主鎖ポリマーが、付加ポリマーおよび縮合ポリマーから独立に選択された、上記態様14に記載の画像形成性エレメント。
〔態様１６〕前記ポリマーバインダーがブロックコポリマーであり、前記ブロックコポリマーのポリエチレンオキシドセグメントが約5〜約60重量%の範囲の量で存在する、上記態様1に記載の画像形成性エレメント。
〔態様１７〕紫外線、可視光線、および赤外線の1つで露光することができる、上記態様1に記載の画像形成性エレメント。
〔態様１８〕前記重合性化合物が、付加重合可能なエチレン性不飽和基、架橋可能なエチレン性不飽和基、開環重合性基、アジド基、アリールジアゾニウム塩基、アリールジアゾスルホネート基、およびこれらの組合せから選択された重合性基を含有する、上記態様1に記載の画像形成性エレメント。
〔態様１９〕前記付加重合可能なエチレン性不飽和基が、フリーラジカル重合、カチオン重合、およびこれらの組合せの1つによって重合可能である、上記態様18に記載の画像形成性エレメント。
〔態様２０〕前記架橋可能なエチレン性不飽和基が、ジメチルマレイミド基、カルコン基、およびシンナメート基からなる群から選択される、上記態様18に記載の画像形成性エレメント。
〔態様２１〕前記開環重合性基が、エポキシド、オキセタン、およびこれらの組合せからなる群から選択される、上記態様18に記載の画像形成性エレメント。
〔態様２２〕重合性化合物とポリマーバインダーとの重量比が、約5:95から約95:5の範囲である、上記態様1に記載の画像形成性エレメント。
〔態様２３〕前記重合性組成物が、約300〜1400ｎｍの範囲の電磁放射を吸収する放射吸収剤をさらに含む、上記態様1に記載の画像形成性エレメント。
〔態様２４〕前記放射吸収剤が、赤外吸収顔料または染料である、上記態様23に記載の画像形成性エレメント。
〔態様２５〕前記組成物が、(i)電子受容体と(ii)電子または水素原子を供与しあるいは炭化水素ラジカルを形成することが可能な共開始剤とを含んだフリーラジカル開始剤系をさらに含む、上記態様23に記載の画像形成性エレメント。
〔態様２６〕前記重合性組成物が、離散した粒子を含む、上記態様1に記載の画像形成性エレメント。
〔態様２７〕前記ポリマーバインダーが、重合性組成物中に懸濁される離散粒子を含む、上記態様1に記載の画像形成性エレメント。
〔態様２８〕前記ポリマーバインダーが、主鎖ポリマーおよびポリエチレンオキシド側鎖を含んだ少なくとも1つのグラフトコポリマーを含む、上記態様27に記載の画像形成性エレメント。
〔態様２９〕(i)重合性化合物と、(ii)ポリエチレンオキシドセグメントを含んだポリマーバインダーとを含む重合性組成物であって、前記ポリマーバインダーが、主鎖ポリマーおよびポリエチレンオキシド側鎖を含んだ少なくとも1つのグラフトコポリマーと、少なくとも1つのポリエチレンオキシドブロックおよび少なくとも1つの非ポリエチレンオキシドブロックを有するブロックコポリマーと、これらの組合せとからなる群から選択される、重合性組成物。
〔態様３０〕前記ポリマーバインダーが、約35〜約220℃の範囲のガラス転移温度Tgを有する、上記態様29に記載の組成物。
〔態様３１〕ポリマーバインダーが、疎水性ポリマーバックボーンと、下記の式：
-Q-W-Y
で表される複数のペンダント基とを含むグラフトコポリマーであり、
上記式中、Qは2官能性接続基であり、Wは親水性セグメントおよび疎水性セグメントからなる群から選択され、Yは親水性セグメントおよび疎水性セグメントからなる群から選択され、ただしWが親水性セグメントである場合にはYが親水性セグメントおよび疎水性セグメントからなる群から選択されることを条件とし、さらにWが疎水性である場合にはYが親水性セグメントであることを条件とする、上記態様29に記載の組成物。
〔態様３２〕前記ポリエチレンオキシドセグメントが、約500〜約10,000の範囲の平均分子量を有する、上記態様29に記載の組成物。
〔態様３３〕前記ポリマーバインダーが、少なくとも1つのポリエチレンオキシドブロックを有するブロックコポリマーであり、前記ブロックコポリマーが、ポリエチレンオキシドセグメントを含まず、かつ約40〜約220℃の範囲のガラス転移温度Tgを有するセグメントを含むものである、上記態様29に記載の組成物。
〔態様３４〕重合性化合物とポリマーバインダーとの重量比が、約5:95〜約95:5の範囲である、上記態様29に記載の組成物。
〔態様３５〕前記重合性組成物が、約300〜1400nmの範囲の電磁放射を吸収する放射吸収剤をさらに含む、上記態様29に記載の組成物。
〔態様３６〕前記組成物が、(i)電子受容体と(ii)電子または水素原子を供与しあるいは炭化水素ラジカルを形成することが可能な共開始剤とを含んだフリーラジカル開始剤系をさらに含む、上記態様29に記載の組成物。
〔態様３７〕前記重合性組成物が、離散した粒子を含む、上記態様29に記載の組成物。
〔態様３８〕前記ポリマーバインダーが、重合性組成物中に懸濁される離散粒子を含む、上記態様29に記載の組成物。
〔態様３９〕前記ポリマーバインダーが、主鎖ポリマーおよびポリエチレンオキシド側鎖を含んだ少なくとも1つのグラフトコポリマーを含む、上記態様38に記載の組成物。
〔態様４０〕ネガ型の印刷版を製造するための方法において、(a)基体を準備する工程と、(b)前記基体の表面に組成物を含んだネガ型の層を塗布する工程と、(c)紫外線、可視光線、および赤外線の1つで画像形成する工程とを含み、前記組成物が、重合性化合物とポリエチレンオキシドセグメントを含んだポリマーバインダーとを含み、前記ポリマーバインダーが、ポリエチレンオキシド側鎖を含んだ少なくとも1つのグラフトコポリマーと、少なくとも1つのポリエチレンオキシドブロックを有するブロックコポリマーと、これらの組合せとからなる群から選択されるものである、方法。
〔態様４１〕前記ポリマーバインダーが、約35〜約220℃の範囲のガラス転移温度Tgを有する、上記態様40に記載の方法。
〔態様４２〕前記印刷版がオン・プレス現像可能である、上記態様40に記載の方法。
〔態様４３〕(d)印刷機で現像する工程をさらに含み、別の現像工程を含まない、上記態様40に記載の方法。
〔態様４４〕前記ポリマーバインダーが、疎水性ポリマーバックボーンと、下記の式
-Q-W-Y
で表される複数のペンダント基とを含むグラフトコポリマーであり、
上記式中、Qは2官能性接続基であり、Wは親水性セグメントおよび疎水性セグメントからなる群から選択され、Yは親水性セグメントおよび疎水性セグメントからなる群から選択され、ただしWが親水性セグメントである場合にはYが親水性セグメントおよび疎水性セグメントからなる群から選択されることを条件とし、さらにWが疎水性である場合にはYが親水性セグメントであることを条件とする、上記態様40に記載の方法。
〔態様４５〕前記ポリマーバインダーが、下記の式により表される反復単位を含んだグラフトコポリマーであり、
【化５】
2005522362.tif 000005
上記式中R1およびR2のそれぞれは独立に、H、アルキル、アリール、アラルキル、アルカリール、COOR5、R6CO、ハロゲン、およびシアノからなる群から選択され、
Qは下記の式からなる群から選択され、
【化６】
2005522362.tif 000006
上記式中R3はHおよびアルキルからなる群から選択され、R4は独立に、H、アルキル、ハロゲン、シアノ、ニトロ、アルコキシ、アルコキシカルボニル、アシル、およびこれらの組合せからなる群から選択され、
ただしWは、親水性セグメントおよび疎水性セグメントからなる群から選択され、
Yは、親水性セグメントおよび疎水性セグメントからなる群から選択され、
Zは、H、アルキル、ハロゲン、シアノ、アシルオキシ、アルコキシ、アルコキシカルボニル、ヒドロキシアルキルオキシカルボニル、アシル、アミノカルボニル、アリール、および置換アリールからなる群から選択され、
Wが親水性セグメントであるときには、Yが親水性セグメントおよび疎水性セグメントからなる群から選択されることを条件とし、さらにWが疎水性であるときにはYが親水性セグメントである、上記態様40に記載の方法。
〔態様４６〕前記画像形成工程が、赤外レーザを使用した赤外照射により実施される、上記態様40に記載の方法。
〔態様４７〕前記現像工程後に前記印刷版をポストベークすることをさらに含む、上記態様40に記載の方法。
〔態様４８〕前記重合性組成物が、離散した粒子を含む、上記態様40に記載の方法。
〔態様４９〕前記ポリマーバインダーが、前記重合性組成物中に懸濁される離散粒子を含む、上記態様40に記載の方法。
〔態様５０〕前記ポリマーバインダーが、主鎖ポリマーおよびポリエチレンオキシド側鎖を含んだ少なくとも1つのグラフトコポリマーを含む、上記態様49に記載の方法。